(57)【特許請求の範囲】
【請求項１】
回転体との連結部を支点として自由に傾き得る回転操作軸が筐体部内に配され、その筐体部の外周両側に揺動支持部を有する回転部品部、および上方から操作するプッシュスイッチ部が並置された基板部と、上記揺動支持部によって揺動可能に支持され、上記回転部品部と同心の円形孔を有する平板部から伸びた駆動部が、上記揺動によって上記プッシュスイッチ部を駆動させるように、上記プッシュオンスイッチ部上面に当接している揺動体と、この揺動体の上記平板部の上部に上記回転部品部と同心に配され、上記平板部の円形孔によって回転可能に保持されると共に、上記回転操作軸と連結された円形状つまみからなり、上記円形状つまみを回転させることによって上記回転部品部の回転操作軸を介して回転体が共回りすることを特徴とするプッシュスイッチ付回転操作型電子部品。
【請求項２】
回転部品部の外側両側の揺動支持部の中心線が、回転操作軸の傾倒中心点を通ると共に、上記回転部品部とプッシュスイッチ部の中心を結ぶ直線に垂直な上記回転部品部の中心線上にあり、通常状態において駆動部の先端が上記プッシュスイッチ部の操作部の上端に当接している請求項１記載のプッシュスイッチ付回転操作型電子部品。
【請求項３】
回転部品部の回転操作軸が回転体と薄肉部で連結して一体形成された請求項１または２記載のプッシュスイッチ付回転操作型電子部品。
【請求項４】
回転部品部の回転操作軸が回転体の非円形中心孔と傾倒自在に嵌合した非円形形状の単体軸である請求項１または２記載のプッシュスイッチ付回転操作型電子部品。
【請求項５】
回転部品部の回転操作軸が円板状つまみと一体に形成され、回転体の非円形中心孔と傾倒自在に嵌合した非円形形状の単体軸とされた請求項１または２記載のプッシュスイッチ付回転操作型電子部品。
【請求項６】
回転部品部が回転体の下面に放射状接点を有する回転型エンコーダであり、筐体部の上部から伸ばされた弾性脚のダボ部が上記回転体上面の放射状凹凸部に当接することにより上記回転体が節度感を伴って回転する構成とした請求項１〜５いずれか記載のプッシュスイッチ付回転操作型電子部品。
【請求項７】
回転部品部の弾性脚のダボ部が回転体上面の放射状凹凸部の凹部にはまり込んだ時、エンコーダ部の出力信号がＯＦＦとなる請求項６記載のプッシュスイッチ付回転操作型電子部品。
【請求項８】
駆動部の先端を押し上げる方向に付勢するばね体を装着した請求項１〜７いずれか記載のプッシュスイッチ付回転操作型電子部品。
【発明の詳細な説明】
【０００１】
【産業上の利用分野】
本発明は主として各種電子機器のリモートコントーラや携帯用電子機器に使用され、操作つまみの水平回転操作およびプッシュ操作により駆動するプッシュスイッチ付回転操作型電子部品に関するものである。
【０００２】
【従来の技術】
従来、この種の電子部品を使用する機器においては、水平回転操作するエンコーダ等の電子部品とプッシュ操作するスイッチ等を各々個別の部品として配置し、これらの二つの部品の各々に操作用つまみを取り付けて操作するようにしていた。
【０００３】
【発明が解決しようとする課題】
しかしながら、一般に、リモートコントローラや携帯用電子機器は大きさを小さくする必要があるため、操作用つまみを装着できる場所が限られており、上記のように水平回転操作用とプッシュ操作用のつまみを別々に取り付けることは機器の小形化に対して不利であると共に、両方のつまみで関連した機能の操作をする場合に二つのつまみを操作する必要があり、使用上も不便であった。
【０００４】
本発明は、水平回転操作とプッシュ操作が単一のつまみで個別に操作できるプッシュスイッチ付回転操作型電子部品を提供することを目的とする。
【０００５】
【課題を解決するための手段】
本発明のプッシュスイッチ付回転操作型電子部品は、回転部品部の自由に傾き得る操作軸と円板状操作つまみが揺動体を介して一体に揺動できる構成とし、この揺動運動により揺動体に設けられた舌片状の駆動部がプッシュスイッチ部を動作させるように構成したものである。
【０００６】
【作用】
この構成によれば、操作つまみの水平回転により回転部品部で電気信号を発生できると共に、操作つまみを押して傾けることによりプッシュスイッチ部を動作させることができ、一個の操作用つまみで水平回転部品部およびプッシュスイッチ部を各々別個に操作することができる。
【０００７】
【実施例】
（実施例１）
以下、本発明の第一の実施例のプッシュスイッチ付回転操作型電子部品について、プッシュスイッチ付回転操作型エンコーダを例にして、図１〜図６を用いて説明する。
【０００８】
本実施例のプッシュスイッチ付回転操作型エンコーダは、図１に示すように、成形樹脂製の基板１に回転操作型エンコーダ部２とプッシュスイッチ部３が並べて配され、円板状操作つまみ４は揺動体５により回転可能に保持されると共に、揺動体５と一体に傾くことができるように装着されている。
【０００９】
なお、以下の説明において、回転操作型エンコーダ部２はエンコーダ部２、プッシュスイッチ部３はスイッチ部３、円板状操作つまみ４はつまみ４と省略して説明する。
【００１０】
エンコーダ部２の構成は、図２および図３に示すように、成形樹脂で基板部１と一体に形成されたエンコーダ用円筒状筐体部６の中心に円形窪み７が設けられると共に、三組の固定弾性接点８，９，１０が円筒状筐体部６内に突出している。
【００１１】
この固定弾性接点８，９，１０は弾性金属薄板をプレス加工して形成後インサート成形して装着されたものであり、各々基板１側面の端子８Ａ，９Ａ，１０Ａと導通している。
【００１２】
そして、円形窪み７には、円形状成形樹脂体の上面に放射状凹凸部１１、下面にその凸部の数と同数の放射状可動接点板１２を有する回転体１３の円筒軸１３Ａが回転可能に嵌合しており、上面の放射状凹凸部１１には円筒状筐体部６の上端に圧入固定された弾性金属薄板製節度ばねの弾性脚１４先端のダボ部１４Ａが弾接し、下面の放射状可動接点板１２には上記の固定弾性接点８，９，１０が弾接している。
【００１３】
尚、エンコーダ部２が回転動作しない通常状態において、節度ばねの弾性脚１４先端ダボ部１４Ａは回転体１３上面の放射状凹凸部１１の凹部にはまり込んでおり、この状態においてエンコーダ部２の出力信号はＯＦＦであるように、放射状可動接点１２に固定弾性接点８，９，１０が弾接する位置が決められている。
【００１４】
そして、回転体１３の中央孔の中心には、操作軸１６が円板部と薄肉部１５で連結して一体形成され、回転運動を伝達できると共に薄肉部１５を中心として自由に傾くことができるように設定されている。
【００１５】
一方、円筒状筐体部６の外周には、上記操作軸１６の傾倒中心である薄肉連結部１５の位置に合わせて、エンコーダ部２とスイッチ部３の中心を結ぶ直線に垂直な円筒状筐体部６の中心線の位置に、二ヶ所の揺動支持用突部１７Ａ，１７Ｂが設けられている。
【００１６】
そして、円筒状筐体部６の上面を覆う平板部５Ａと、これからスイッチ部３に向かって伸ばされた舌片状の駆動部５Ｂからなる揺動体５の平板部５Ａの両側の平行脚部１８Ａ，１８Ｂ先端の丸孔１９Ａ，１９Ｂに、上記円筒状筐体部６外周の二ヶ所の突部１７Ａ，１７Ｂがはめ込まれ、揺動体５がスイッチ部３側に傾くことができるように支持している。
【００１７】
また、揺動体５の平板部５Ａの中心に設けられた円形孔２０には上方から装着された円板状つまみ４の円筒軸２１が回転可能に保持されると共に、その中心孔２２には前記回転体１３の操作軸１６が共回りするように圧入連結されている。
【００１８】
更に、スイッチ部３の構成は、図２に示すように、基板１のスイッチ用窪み２３底面にインサート成形にて設けられた固定接点２４Ａ，２４Ｂの上に弾性金属薄板からなるダイアフラム状のスイッチ可動接点２５が載せられたもので、この中央部上面に、上記揺動体５の舌片状の駆動部５Ｂの先端突部２６が当接している。
【００１９】
尚、固定接点２４Ａ，２４Ｂは各々基板１側面の接続端子２４Ｃ，２４Ｄ（図示せず）と導通している。
【００２０】
そして、上記揺動体５の駆動部５Ｂの先端突部２６がスイッチ可動接点２５の中央部上面に当接していることによって、揺動体５およびつまみ４は通常状態において基板部１に対しほぼ垂直な位置を保っている。
【００２１】
本実施例のプッシュスイッチ付回転操作型エンコーダは以上のように構成されるものであるが、電子機器に装着される場合は、図４に示すように、基板１の外周の端子８Ａ，９Ａ，１０Ａおよび２４Ｃ，２４Ｄを機器のプリント配線基板２７に半田付けして固定され、円板状つまみ４の外周の一部４Ａが機器の外装ケース２８の隙間から外部に突出するように取付けられる。
【００２２】
次に、本実施例のプッシュスイッチ付回転操作型エンコーダの動作について説明する。
【００２３】
まず、図５に示すように、エンコーダ部２の上端に取付けられた円板状つまみ４の外装ケース２８から突出した部分４Ａに接線方向の力を加えて回転させることにより、図２および図３に示す操作軸１６および薄肉部１５を介した回転体１３が円筒状筐体部６内の円形窪み７を中心として回転し、回転体１３下面の放射状可動接点板１２の上を固定弾性接点８，９，１０が弾接して摺動し、この接触部分で円板状操作つまみ４の回転操作に連動したパルス信号を発生する。
【００２４】
この時、回転体１３上面の凹凸部１１に弾接した節度ばね１４の弾性脚先端のダボ部１４Ａは、回転操作前にはまり込んでいた凹部から凸部を乗り越えて次の凹部へと節度感を出しながら移っていき、回転操作に連動したパルス信号の数に相当する凸部を乗り越えた位置の凹部にはまり込んで停止する。
【００２５】
また、揺動体５は、その駆動部５Ｂ先端の突部２６がスイッチ可動接点２５の上面に当接したままで動かない。
【００２６】
そして、このパルス信号が弾性接点８，９，１０から基板１の外周の接続端子８Ａ，９Ａ，１０Ａを経て電子機器のプリント配線基板２８の回路に伝達される。
【００２７】
次に、図６に示すように、円板状つまみ４の突出した部分４Ａに、つまみ４の中心とスイッチ部３の中心を結ぶ方向（矢印Ｆ１方向）の押し力を加えると、つまみ４および揺動体５が円筒状筐体部６外周の二ヶ所の支持用突部１７Ａ，１７Ｂを中心として時計方向（矢印Ｆ２方向）に少しの角度だけ回転し、これに伴って揺動体５の駆動部５Ｂ先端の突部２６が下方（矢印Ｆ３方向）に動いて、その下側に当接したスイッチ部３のダイアフラム状のスイッチ可動接点２５の弾性力に逆らってその中心部を下方に押し下げる。
【００２８】
これによりスイッチ可動接点２５が反転して固定接点２４Ａ，２４Ｂの間を短絡させ、その信号が基板１外周の接続端子２４Ｃ，２４Ｄを経て電子機器のプリント配線基板２７の回路に伝達される。
【００２９】
この時、つまみ４の中心に連結された操作軸１６もつまみ４と共に少し傾くが、薄肉連結部１５を支点として自由に傾き得るように設定されているため、回転体１３すなわちエンコーダ部２への影響は無い。
【００３０】
この後、つまみ４に加えていた力を除くと、スイッチ可動接点２５がその弾性復元力によって元のダイアフラム形状に復帰しようとして駆動部５Ｂ先端の突部２６を上方に押し上げることにより、揺動体５およびつまみ４が図２の状態に復帰する。
【００３１】
上記の実施例では、駆動部５Ｂ先端の突部２６がスイッチ部３のダイアフラム状のスイッチ可動接点２５の中央部上面に当接することによって揺動体５およびつまみ４は基板１に対して垂直な位置を保っているが、つまみ４の突出部分４Ａに接線方向の力を加えて回転させる場合に、つまみ４にＦ１方向の力が加わりすぎると、スイッチ部３が動作してしまう危険性がある。
【００３２】
しかし、この現象を防ぐために、駆動部５Ｂ先端の突部２６を押し戻す力、すなわちスイッチ部３の金属薄板製ダイアフラム状のスイッチ可動接点２５の弾性力を大きくすることは、スイッチ特性との関係があり難しく、このような現象を防ぐことができるプッシュスイッチ付回転操作型電子部品について以下に実施例２で説明する。
【００３３】
（実施例２）
図７は本発明のプッシュスイッチ付回転操作型電子部品の第二の実施例を示すものであり、上記第一の実施例のプッシュスイッチ付回転操作型エンコーダの駆動部５Ｂの先端を押し上げる方向に付勢するばね体２９を、スイッチ部３のダイアフラム状のスイッチ可動接点２５とは別に追加装着するものである。
【００３４】
すなわち、図７に示すように、基板１のスイッチ可動接点２５を収容した窪み２３の途中に段部２３Ａを設け、この部分に、図８に示すような中央孔２９Ａ付きのばね性金属薄板製の板ばね２９を挿入して駆動部５Ｂ先端の突部２６の周囲を上方に押し上げるものであり、スイッチ部３のダイアフラム状のスイッチ可動接点２５を変更することなく、駆動部５Ｂの先端を押し戻す力を大きくしてつまみ４を回転操作する場合に、つまみ４に図６のＦ１方向の力が加わってスイッチ部３を誤動作させることを防止できるものである。
【００３５】
（実施例３）
図９は本発明のプッシュスイッチ付回転操作型電子部品の第三の実施例を示すものであり、上記第一の実施例のプッシュスイッチ付回転操作型エンコーダにおけるエンコーダ部２の回転体１３の円板部と操作軸１６が薄肉部１５で連結されて、操作軸１６は薄肉連結部１５を支点として自由に傾き得るように構成されていたものを、回転体３０の中央孔３１を六角形等非円形孔とし、直線棒状の操作軸３２に対して、円筒状筐体部６外周の二ヶ所の揺動支持用突部１７Ａ，１７Ｂと同高さの位置に、上記回転体３０の非円形中央孔３１と同形状でこの孔に軽い力で圧入できる非円形形状のフランジ部３３を設けたもので、その上端部はつまみ４の中心孔２２に圧入連結されると共に、下端部は基板部１の円形窪み７の底面に当接している。
【００３６】
この場合、つまみ４にＦ１方向の押し力を加えると、つまみ４および揺動体５と共に操作軸３２がフランジ部３３を支点として傾く。
【００３７】
（実施例４）
図１０は本発明のプッシュスイッチ付回転操作型電子部品の第四の実施例を示すもので、回転体３０の中央孔３１を六角形等の非円形孔とすることは上記第三の実施例と同じであるが、直線棒状の操作軸部３４を円板状つまみ３５と一体に形成し、この操作軸部３４に対して、円筒状筐体部６外周の二ヶ所の揺動支持用突部１７Ａ，１７Ｂと同高さの位置に回転体３０の非円形中央孔３１と同形状のフランジ部３６を設けるもので、つまみ３５にＦ１方向の押し力を加える時の動作は第三の実施例と同様である。
【００３８】
なお、以上の実施例では水平回転操作する電子部品として回転型エンコーダを例として説明したが、これは回転型可変抵抗器等の他の電子部品でもよいことは勿論である。
【００３９】
【発明の効果】
以上のように本発明によると、水平回転型部品部とプッシュスイッチ部を一個の操作つまみで個別に操作することができるので、リモートコントローラや携帯用電子機器等の小形化に有利であると共に、回転型部品部とプッシュスイッチ部を連続して操作する場合に、つまみを操作する指を一方のつまみから離して他方のつまみへ移す必要がないので、迅速に操作することができる。
【００４０】
また、水平回転型部品部とプッシュスイッチ部を一つの基板の上に装着して、これらを一つのまとまった部品として取扱うことができるので、回転型部品部とプッシュスイッチ部との位置関係を正確に保つことができて、プッシュ操作時の動作が確実であると共に電子機器への装着も容易である。
【図面の簡単な説明】
【図１】本発明のプッシュスイッチ付回転操作型電子部品の第一の実施例のプッシュスイッチ付回転操作型エンコーダの斜視図
【図２】同実施例の側面断面図
【図３】同図２Ｅ−Ｅ’線における断面図
【図４】同実施例の使用機器への装着状態を示す使用機器の側面断面図
【図５】同実施例の回転型エンコーダ部の動作を説明する一部切欠断面平面図
【図６】同実施例のプッシュスイッチ部の動作を説明する一部切欠断面側面図
【図７】第二の実施例の側面断面図
【図８】図７の要部である板ばねの斜視図
【図９】第三の実施例の側面断面図
【図１０】第四の実施例の側面断面図
【符号の説明】
１  基板部
２  回転型エンコーダ部
３  プッシュスイッチ部
４  円板状つまみ
５  揺動体
５Ａ  平板部
５Ｂ  駆動部
８，９，１０  固定弾性接点
１１  放射状凹凸部
１２  放射状可動接点
１３  回転体
１４  弾性脚
１４Ａ  ダボ部
１５  薄肉連結部
１６  操作軸
１７Ａ，１７Ｂ  揺動支持用突部
２０  円形孔
【図１】
0003579969.tif 000002
【図２】
0003579969.tif 000003
【図３】
0003579969.tif 000004
【図４】
0003579969.tif 000005
【図５】
0003579969.tif 000006
【図６】
0003579969.tif 000007
【図７】
0003579969.tif 000008
【図８】
0003579969.tif 000009
【図９】
0003579969.tif 000010
【図１０】
0003579969.tif 000011